(57)【要約】【課題】鏡体が扉を兼ねるミラーキャビネットにおいて、鏡体の近くに設置される水栓金具と干渉することなく、鏡体の開閉を可能にする。【解決手段】収納部Ｓの扉を兼用する鏡体Ｍは、左右いずれかの側縁部がヒンジ部材で回動自在に支持され、他方の側縁部を開閉可能と成す。ヒンジ部材を収納部Ｓの開口部における上下縁に配したガイド部材１に装着して間口方向を移動可能とする。鏡体Ｍを開くときには、一側縁部のヒンジ部材をガイド部材１に沿って移動させつつ、もう一方の一側縁部を手前側へ回動させる。これによりミラーキャビネットＡの収納部Ｓが開放される。鏡体Ｍ近くに水栓金具Ｎが位置している場合であっても、この水栓金具Ｎとの干渉を容易に避けて、確実に開閉操作を行える。鏡体ＭをミラーキャビネットＡの側方へ張り出させることがないから、ミラーキャビネットＡ側方の空間を不要にできる。【選択図】      図１
2004147904.tif 000002
【特許請求の範囲】
【請求項１】
収納部の前面に当該収納部の扉を兼ねる鏡体が設けられたミラーキャビネットにおいて、鏡体の左右いずれか一方の側縁部における上下端部に当該鏡体を回動自在に支持するヒンジ部材が設けられ、当該ヒンジ部材は、前記収納部の開口部における上下縁に設けられたガイド部材に装着されて、前記収納部の間口方向を移動可能に構成されていることを特徴とするミラーキャビネット。
【請求項２】
収納部の前面に当該収納部の扉を兼ねる鏡体が設けられたミラーキャビネットにおいて、鏡体が左右二つの分割部分から成り、当該分割部分どうしが突き合わせ部において蝶番により折り畳み可能に連結され、前記分割部分それぞれの左右側縁における上下端部に前記分割部分を回動自在に支持するヒンジ部材が設けられ、当該左右のヒンジ部材の少なくとも一方が、前記収納部の開口部における上下縁に設けられたガイド部材に装着されて、前記収納部の間口方向を移動可能に構成されていることを特徴とするミラーキャビネット。
【発明の詳細な説明】
【０００１】
【発明の属する技術分野】
本発明は、鏡体が扉を兼ねるように構成されたミラーキャビネットにおいて、鏡体の開閉構造に工夫を凝らしたものに関する。
【０００２】
【従来の技術】
図８は、従来の洗面化粧台Ｌの一例を示すものであって、ベースキャビネットＣの上部に水栓金具Ｎを備える洗面器Ｄが設置され、さらにその上に、収納棚Ｅと鏡体Ｍとが配置されている。上記洗面化粧台Ｌにおいて、鏡体Ｍの裏面側に収納部Ｆを設けてミラーキャビネットと成す場合がある。このような場合、鏡体Ｍが収納部Ｆの扉を兼用するから、鏡体Ｍの左右いずれか一方の側縁における上下端部にヒンジ部材を設けて回動自在とし、当該鏡体Ｍを開閉可能にすることが考えられる。また特許文献１に記載するように、鏡体を引き戸構造にして、開閉可能とすることも提案されている。
【０００３】
【特許文献１】
特開２００１−８７０５７号公報
【０００４】
【発明が解決しようとする課題】
図９に示すように、水栓金具Ｎが洗面器Ｄ上における鏡体Ｍから比較的近い位置に取り付けられる場合、鏡体Ｍを開閉させるのに、左右いずれかの一側縁をヒンジ部材で回動自在に支持する構造を採用すると、この水栓金具Ｎが鏡体Ｍと干渉するため、鏡体Ｍを開閉動作させるのが困難になることがある。なお、この問題は、ヒンジ部材を鏡体Ｍの左右いずれの側縁部に設けたとしても、同様に生じ得るものである。
【０００５】
他方、特許文献１に示す如く鏡体を引き戸構造にすると、水栓金具を鏡体の近くに設置しても、鏡体の開閉は可能である。しかしながら、収納部の開口部の間口が狭くなるという欠点を有している。あるいは、鏡体の移動距離を大きく採って開口部の間口を広く確保することも考えられるが、この場合、鏡体の側方に、当該鏡体を突出させるための広い空間が必要であるという問題を有している。
【０００６】
【課題を解決するための手段】
前記従来の問題を解決するために本発明が採用するミラーキャビネットの特徴とするところは、収納部の前面に当該収納部の扉を兼ねる鏡体が設けられたミラーキャビネットにおいて、鏡体の左右いずれか一方の側縁部における上下端部に当該鏡体を回動自在に支持するヒンジ部材を設け、当該ヒンジ部材を、前記収納部の開口部における上下縁に設けられたガイド部材に装着して、前記収納部の間口方向を移動可能に構成したことである。
【０００７】
かかる構成によれば、鏡体の側縁部における上下端部を回動自在に支持するヒンジ部材を、収納部の間口方向を移動可能としたので、鏡体の回動位置を移動させながら、鏡体を開くことができる。従って、鏡体の近くに水栓金具等が取り付けられていても、干渉を避けて鏡体を開閉することが可能となる。また、鏡体を回動させつつ移動させるから、鏡体が側方へあまり張り出すことがない。依って鏡体側方に広い空間を設ける必要がない。
【０００８】
また本発明は、次のような構成のミラーキャビネットも提供する。すなわち、鏡体が左右二つの分割部分から成るものとし、当該分割部分どうしを突き合わせ部において蝶番により折り畳み可能に連結し、前記分割部分それぞれの左右側縁における上下端部に前記分割部分を回動自在に支持するヒンジ部材を設け、当該左右のヒンジ部材の少なくとも一方を、前記収納部の開口部における上下縁に設けられたガイド部材に装着して、前記収納部の間口方向を移動可能に構成したことを特徴とするものである。
【０００９】
かかる構成により、鏡体の左右分割部分を突き合わせ部で折り畳みながら開くことができるから、本例のミラーキャビネットもまた、鏡体近くに設置された水栓金具等との干渉を避けることが可能である。
【００１０】
【発明の実施の形態】
［第１の実施形態］
図１は、本発明に係るミラーキャビネットＡを備える洗面化粧台Ｋを示すものである。同洗面化粧台Ｋは、ベースキャビネットＣの上に洗面器Ｄが設置され、この洗面器Ｄにおける一方の奥隅部（本例では左側奥部）に水栓金具Ｎが取り付けられている。そして洗面器Ｄの上方に、ミラーキャビネットＡと収納棚Ｅとが並べて設けられている。
【００１１】
本例のミラーキャビネットＡにおける収納部Ｓの扉を兼用する鏡体Ｍは、図２又は図３に示すように、左右いずれかの側縁部がヒンジ部材Ｈで回動自在に支持され、他方の側縁部を開閉可能と成している。そして、このヒンジ部材Ｈを、収納部Ｓの開口部における上下縁に配したガイド部材１に装着して、収納部Ｓの間口方向を移動可能としたところを特色としている。なお図２は、鏡体Ｍの左側縁部にヒンジ部材Ｈを設けた例、図３は、鏡体Ｍの右側縁部にヒンジ部Ｈを設けた例をそれぞれ示すものである。
【００１２】
ヒンジ部材Ｈは、例えば図４に示すような構造が考えられる。すなわち、ガイド部材１へ摺動可能に装着したスライダー２にピン３を設け、このピン３へ、鏡体Ｍ裏面に固定した背板１０に設けたブラケット４を回動自在に外嵌させるというものである。あるいは図５に示すように、ガイド部材１へ摺動可能に装着したスライダー２にピン孔５を設け、このピン孔５へ、鏡体Ｍの下面に装着したブラケット７のピン６を回動自在に嵌挿する、という支持構造も可能である。
【００１３】
かかる構成により、鏡体Ｍを開くときには、図２又は図３に破線で仮想的に示す如く、鏡体Ｍの一側縁部に設けたヒンジ部材Ｈをガイド部材１に沿って移動させつつ、もう一方の一側縁部を上記ヒンジ部材Ｈを軸にして手前側へ回動させることにより、ミラーキャビネットＡの収納部Ｓを開放することができる。従って鏡体Ｍの近くに水栓金具Ｎが位置している場合であっても、この水栓金具Ｎとの干渉を容易に避けて、確実に開閉操作を行える。また、図２の実施形態では鏡体ＭをミラーキャビネットＡの側方へ張り出させることがなく、図３の実施形態でも側方への張り出し寸法を抑えることができるから、ミラーキャビネットＡ側方の空間を不要又は縮小できるという利点が得られる。
【００１４】
［第２の実施形態］
図６及び図７は本発明に係るミラーキャビネットＡの異なる実施形態を示すものである。同図のミラーキャビネットＡは、鏡体Ｍを左右の分割部分ｍ１，ｍ２から成るものとし、右分割部分ｍ１と左分割部分ｍ２とを、両者の突き合わせ部において、蝶番２０で折り畳み可能に連結する。そして、左右の分割部分ｍ１，ｍ２それぞれの左右側縁部における上下を、前記図４又は図５に例示したようなヒンジ部材Ｈを用いて回動自在に支持すると共に、左右いずれか一方のヒンジ部材Ｈ（図示の例では右側）を定位置とし、もう一方のヒンジ部材Ｈ（図示の例では左側）をガイド部材１によって収納部Ｓの間口方向を移動可能としたものである。
【００１５】
本例は、ミラーキャビネットＡの鏡体Ｍを開く場合、左側の分割部分ｍ２の側縁上下に設けたヒンジ部材Ｈをガイド部材１に沿って移動させつつ、左右の分割部分ｍ１，ｍ２を蝶番２０を軸にして折り畳む（図７の仮想線参照）。これにより、ミラーキャビネットＡの収納部Ｓが開放される。このように本例のミラーキャビネットＡにあっても、鏡体Ｍを、水栓金具Ｎとの干渉を避けて確実に開閉動作させることが可能である。また、本例のミラーキャビネットＡは、鏡体Ｍを側方へ張り出させることがないから、ミラーキャビネットＡ側方に空間を設ける必要がないという利点を有している。
【００１６】
【発明の効果】
本発明に係るミラーキャビネットは、鏡体が扉を兼ねるものにおいて、水栓金具等との干渉を容易に避けて鏡体を移動させることができるから、鏡体の近くに水栓金具等が取り付けられる場合でも、鏡体の開閉操作を確実に行うことができる。従って、デザインの自由度が高くなるから、ミラーキャビネットの設計・製造が容易になる。
【００１７】
また、鏡体を移動させて収納部を開放したときに、鏡体がミラーキャビネットの側方へ張り出す寸法を皆無又は少なくできるから、ミラーキャビネットの設置・施工が容易になる。
【図面の簡単な説明】
【図１】本発明の第１の実施形態に関するものであって、本発明に係るミラーキャビネットを備える洗面化粧台の斜視図である。
【図２】本発明の第１の実施形態に関するものであって、本発明に係るミラーキャビネットを備える洗面化粧台の平面断面図である。
【図３】本発明の第１の実施形態に関するものであって、異なる形態の本発明に係るミラーキャビネットを備える洗面化粧台の平面断面図である。
【図４】本発明の第１の実施形態に関するものであって、鏡体を回動自在に支持するヒンジ部材の一例を示す斜視図である。
【図５】本発明の第１の実施形態に関するものであって、鏡体を回動自在に支持するヒンジ部材の異なる例を示す斜視図である。
【図６】本発明の第２の実施形態に関するものであって、本発明に係るミラーキャビネットを備える洗面化粧台の斜視図である。
【図７】本発明の第２の実施形態に関するものであって、本発明に係るミラーキャビネットを備える洗面化粧台の平面断面図である。
【図８】従来の洗面化粧台を示す斜視図である。
【図９】従来の洗面化粧台にミラーキャビネットを設けた場合を仮想的に示す平面断面図である。
【符号の説明】
Ａ…ミラーキャビネット  Ｃ…ベースキャビネット  Ｄ…洗面器  Ｅ…収納棚  Ｈ…ヒンジ部材  Ｋ…洗面化粧台  Ｍ…鏡体  ｍ１…右側分割部分  ｍ２…左側分割部分  Ｓ…収納部  １…ガイド部材  ２…スライダー  ３…ピン  ４…ブラケット  ５…ピン孔  ６…ピン  ７…ブラケット  １０…背板  ２０…蝶番
【図１】
2004147904.tif 000003
【図２】
2004147904.tif 000004
【図３】
2004147904.tif 000005
【図４】
2004147904.tif 000006
【図５】
2004147904.tif 000007
【図６】
2004147904.tif 000008
【図７】
2004147904.tif 000009
【図８】
2004147904.tif 000010
【図９】
2004147904.tif 000011